(57)【特許請求の範囲】
【請求項１】
ハウジング本体内に給油ポンプ等の給油機構と、給油ノズルの掛け外しで作動するノズルスイッチとを設け、さらに前記給油機構を制御する制御装置を設けた給油装置において、前記ハウジング本体には、エンジンの停止を確認した時に押すエンジン停止確認釦を設け、前記制御装置はこのエンジン停止確認釦からのエンジン停止確認信号を受けて、給油モータヘのロックを解除し、ノズルスイッチからのオン信号で給油機構を駆動する駆動開始指令手段を設け、表示画面上に透明タッチパネルと、表示画面外にキーボードを備えたデータ入出力装置をハウジング本体内に設け、エンジン停止確認釦はエンジン停止を促す表示とともに前記透明タッチパネルに表示し、給油ノズルにはエンジン停止を促すランプを設け、また、ハウジング本体に、エンジン停止を促す音声を給油ノズルの取り外しで出力するスピーカーを設け、アイランドに車センサを設け、また、回動するアームが遮断機の役割をする走行可否案内機をアイランド上に設け、走行可否案内機はアームを表示盤としてここに注意を促す文言を表示したことを特徴とする給油装置。
【請求項２】
ハウジング本体にデータ入出力装置を設け、給油装置番号を印字する精算用の伝票を出力するプリンターを該データ入出力装置に付設した請求項１記載の給油装置。
【請求項３】
ハウジング本体に精算装置を設けた請求項１記載の給油装置。
【発明の詳細な説明】
【０００１】
【発明の属する技術分野】
本発明は、自動車等へガソリン等の燃料を供給するサービスステーションに設ける給油装置に関するものである。
【０００２】
【従来の技術】
従来の給油所、いわゆるサービスステーションでは、作業員が給油作業及び精算作業を行わなければならず、多くの人手を必要とし、人件費が高く、経営コストが高くなる問題があり、セルフ給油所への関心が高まっている。
【０００３】
一方、給油エリアにはガソリンからの揮発ガスなど可燃性ガスが充満しているため、給油中は自動車等のエンジンを停止させることが義務づけられている。
【０００４】
【発明が解決しようとする課題】
しかし、運転者が自分で給油を行うセルフ給油所の場合には、エンジンの停止を促す作業員がいないので、エンジンを作動させたまま給油を実行して、事故を招くおそれがある。
【０００５】
本発明の目的は前記従来例の不都合を解消し、給油開始時に自動車のエンジン停止を確認して給油作業を行えるので、セルフの場合でも安全性を確保できる給油装置を提供することにある。
【０００６】
【課題を解決するための手段】
本発明は前記目的を達成するため、第１に、ハウジング本体内に給油ポンプ等の給油機構と、給油ノズルの掛け外しで作動するノズルスイッチとを設け、さらに前記給油機構を制御する制御装置を設けた給油装置において、前記ハウジング本体には、エンジンの停止を確認した時に押すエンジン停止確認釦を設け、前記制御装置はこのエンジン停止確認釦からのエンジン停止確認信号を受けて、給油モータヘのロックを解除し、ノズルスイッチからのオン信号で給油機構を駆動する駆動開始指令手段を設け、表示画面上に透明タッチパネルと、表示画面外にキーボードを備えたデータ入出力装置をハウジング本体内に設け、エンジン停止確認釦はエンジン停止を促す表示とともに前記透明タッチパネルに表示し、給油ノズルにはエンジン停止を促すランプを設け、また、ハウジング本体に、エンジン停止を促す音声を給油ノズルの取り外しで出力するスピーカーを設け、アイランドに車センサを設け、また、回動するアームが遮断機の役割をする走行可否案内機をアイランド上に設け、走行可否案内機はアームを表示盤としてここに注意を促す文言を表示したことを要旨とするものである。
【０００７】
第２に、ハウジング本体にデータ入出力装置を設け、給油装置番号を印字する精算用の伝票を出力するプリンターを該データ入出力装置に付設したこと、第３に、ハウジング本体に精算装置を設けたことを要旨とするものである。
【０００８】
請求項１記載の本発明によれば、エンジンの停止を確認してエンジン停止確認釦を押さなければ、給油機構が駆動開始とならないので、エンジンを作動させたまま給油を実行して、事故を招くことを防止できる。
【０００９】
また、エンジン停止確認釦はエンジン停止を促す表示とともに前記透明タッチパネルに表示するので、このエンジン停止確認釦を押す動作をエンジン停止動作と密に関連付けることができる。
【００１０】
さらに、エンジン停止への促しは、給油ノズルに設けるランプおよび、ハウジング本体に設けるスピーカーからの音声出力で行うので、よりエンジンを作動させたままの給油実行を阻止できる。
【００１１】
請求項２記載の本発明によれば、前記作用に加えて、ハウジング本体にはデータ入出力装置が設けられ、該データ入出力装置に備えられたプリンターより精算用の伝票（給油装置番号を印字）が出力されるので、事務所精算の際に顧客間違いが無いものとなる。
【００１２】
請求項３記載の本発明によれば、ハウジング本体には精算装置が設けられているので給油、精算が同一場所ででき、作業性が良い。
【００１３】
【発明の実施の形態】
以下、図面について本発明の実施の形態を詳細に説明する。図１は本発明の給油装置の１実施形態を示す説明図、図２は同上ブロック図で、ハウジング本体１内で、給油配管２に給油ポンプ３、流量計４等の給油機構を設けたもので、給油ポンプ３は給油モータ５に連結され、また、流量計４には流量パルス発信器４ａを取り付ける。
【００１４】
図示の実施形態ではハウジング本体１の上方に門型のフレーム６が立ち上がり、その内部に空間７が形成され、図示が省略するが前記給油配管２はこのフレーム６の垂直部材内部および梁部材内部を通り、垂下する給油ホース８の端がこれに接続する。そして給油ホース８の先端には給油ノズル９を設けるが、ハウジング本体１に設けるノズル掛け１０には給油ノズル９の掛外しでオン・オフするノズルスイッチ１１を設けた。
【００１５】
図中１２はコンピュータによる制御装置で、ノズルスイッチ１１からの給油ノズル９の掛外し信号、流量計４の流量パルス発信器４ａからの流量信号がこの制御装置１２に導入され、また、制御装置１２からはハウジング本体１に設ける給油量表示計１３に計数駆動信号が、および、給油モータ５に駆動信号が出力される。さらにこの制御装置１２は事務所等に設けるＰＯＳ２１に接続され出・入力の往来を行う。
【００１６】
本実施形態の給油装置では、データ入出力装置１４として、表示画面上に透明タッチパネルを設け、表示画面外にキーボードを備えた操作パネル１５、カードリーダー１６、プリンター１７を組み込んだものをハウジング本体１に設け、さらに、貨幣投入口１８ａ、貨幣排出口１８ｂ、紙幣投入口１９ａ、紙幣排出口１９ｂを有する精算装置２０をハウジング本体１に設けた。これらデータ入出力装置１４や精算装置２０も制御装置１２と出・入力の往来を行う。
【００１７】
前記ハウジング本体１には、自動車等のエンジンの停止を確認した時に押すエンジン停止確認釦２２を設け、このエンジン停止確認釦２２のエンジン停止確認信号を制御装置１２に導入するようにした。
【００１８】
このエンジン停止確認釦２２は、図示のように固定的な釦として設ける他に操作パネル１５の透明タッチパネルに、エンジン停止を促す表示とともに表示するものとしてもよい。
【００１９】
次に使用法および動作を図３のフローチャートに基づいて説明する。運転者で給油を行うものはスタート時に自己の自動車等のエンジンが停止していることを確認し、エンジン停止確認釦２２を押す。（ステップ『イ』）
【００２０】
これによりエンジン停止確認釦２２からエンジン停止確認信号がモータロック解除信号出力として制御装置１２に送られ（ステップ『ロ』『カ』）、この信号を受けた制御装置１２は給油モータ５へモータロック解除信号を送り（ステップ『ヨ』『ハ』）、この解除信号の入力があった場合に給油モータ５のロックが解除され、（ステップ『ニ』）、給油設定となったか否か問われ（ステップ『ホ』）、給油許可信号が制御装置１２に出力される。（ステップ『ヘ』）
【００２１】
給油許可信号を受けた制御装置１２は給油許可信号を出力し、ここで給油許可信号の有無が問われる。（ステップ『ヘ』）
【００２２】
ノズル掛け１０から給油ノズル９を外せばノズルスイッチ１１がオンし（ステップ『ヘ』）、給油量表示計１３が帰零され、また、給油モータ５が始動する。これにより地下タンクからの油が給油配管２や給油ホース８内に満たされ、給油ノズル９を自動車の給油口に差し込み、給油ノズル９のレバーを握り、バルブを開けば、給油が行われる。
【００２３】
油が流量計４を通る際に流量パルス発信器４ａから流量パルスが制御装置１２に発せられ（ステップ『ヌ』）、制御装置１２の計数回路で計数され、算出された給油量は給油量表示計１３に表示される。（ステップ『ル』）
【００２４】
ノズル掛け１０に給油ノズル９を掛ければノズルスイッチ１１がオフし（ステップ『ヲ』）、給油モータ５のモータ駆動が停止され、モータロックが行われ、給油データが制御装置１２に出力される。（ステップ『ワ』）
【００２５】
給油データが入力された制御装置１２はその内容を記憶回路に記憶する。
【００２６】
また、前記給油データは制御装置１２からハウジング本体１に設けたデータ入出力装置１４のプリンター１７から給油装置番号を印字した精算用の伝票として出力され、顧客はこの伝票をもって事務所へ行き、清算を行う。かかる清算は給油装置番号を印字してあるので、顧客間違いがなくなる。
【００２７】
さらに、ハウジング本体１に精算装置２０を設けている場合は、この精算装置２０で給油代金を清算することができ、前記事務所まで行かなくても給油、清算が同一場所で行え、作業効率が良いものとなる。
【００２８】
図４は本発明の第２実施形態を示すもので、給油ノズル９にはエンジン停止を促すランプ２３を設け、また、ハウジング本体１に、エンジン停止を促す音声を給油ノズル９のノズル掛け１０からの取り外しで出力するスピーカー２４を設けた。
【００２９】
これに加えて、アイランド２５の側部等に赤外線等による車センサ２６を設けた。また、回動するアームが遮断機の役割をする走行可否案内機２７をアイランド２５上に設けた。
【００３０】
本実施形態の場合は、図５に示すように車センサ２６が自動車の存在を検知したなら、走行可否案内機２７はアーム２７ａを水平に上げて自動車の走行を不可とする。このような走行可否案内機２７はアーム２７ａを表示盤としてここに「エンジンを停止して下さい。」等の注意を促す文言を表示してもよい。
【００３１】
これを見てエンジンを停止し、もしくはすでにエンジンを停止していたならば、エンジン停止確認釦２２を押して給油設定状態となる。
【００３２】
前記走行可否案内機２７は精算装置２０で給油代金を清算したならば、水平になっているアーム２７ａが降りて収納され、走行可能となる。
【００３３】
もしくは図６に示すように車センサ２６が自動車の存在を検知したなら、前記と同様に操作パネル１５の透明タッチパネルに、エンジン停止を促す表示を行う。また、ノズル掛け１０から給油ノズル９を外してノズルスイッチ１１がオンした時には給油ノズル９のエンジン停止を促すランプ２３を点灯する。さらに、スピーカー２４からエンジン停止を促す音声を発する。
【００３４】
このように、透明タッチパネルでの表示、給油ノズル９のランプ２３の点灯、スピーカー２４での発生でエンジンを停止し、もしくはすでにエンジンを停止していたならば、エンジン停止確認釦２２を押し、給油設定状態となる。その際にはランプ２３は消灯し、スピーカー２４からの音声は停止する。
【００３５】
なお、前記透明タッチパネルでの表示、給油ノズル９のランプ２３の点灯、スピーカー２４での発生でのエンジン停止を促す手段はそのうちのいずれかを選択的に行うこともでき、また、透明タッチパネルでの表示を前記走行可否案内機２７のアームでの表示に代え、もしくは併用すること、さらに、エンジン停止確認釦２２はこれを固定的に設ける場合と透明タッチパネルに表示する場合とを併用することも可能である。
【００３６】
【発明の効果】
以上述べたように本発明の給油装置は、給油開始時に自動車のエンジン停止を確認して給油作業を行えるので、セルフの場合でも安全性を確保できるものである。
【図面の簡単な説明】
【図１】  本発明の給油装置の第１実施形態を示す説明図である。
【図２】  本発明の給油装置の第１実施形態を示すブロック図である。
【図３】  動作手順を示すフローチャートである。
【図４】  本発明の給油装置の第２実施形態を示す斜視図である。
【図５】  第２実施形態の動作手順の一例を示すフローチャートである。
【図６】  第２実施形態の動作手順の他例を示すフローチャートである。
【符号の説明】
１…ハウジング本体                        ２…給油配管
３…給油ポンプ                            ４…流量計
４ａ…流量パルス発信器                    ５…給油モータ
６…門型のフレーム                        ７…空間
８…給油ホース                            ９…給油ノズル
１０…ノズル掛け                          １１…ノズルスイッチ
１２…制御装置                            １３…給油量表示計
１４…データ入出力装置                    １５…操作パネル
１６…カードリーダー                      １７…プリンター
１８ａ…貨幣投入口                        １８ｂ…貨幣排出口
１９ａ…紙幣投入口                        １９ｂ…紙幣排出口
２０…精算装置                            ２１…ＰＯＳ
２２…エンジン停止確認釦                  ２３…ランプ
２４…スピーカー                          ２５…アイランド
２６…車センサ                            ２７…走行可否案内機
２７ａ…アーム
【図１】
0004123716.tif 000002
【図２】
0004123716.tif 000003
【図３】
0004123716.tif 000004
【図４】
0004123716.tif 000005
【図５】
0004123716.tif 000006
【図６】
0004123716.tif 000007